(57)【要約】【課題】  取付具の折板ハゼ屋根のハゼ板重合突出部への固定と、取付具と屋根上構造物との締結を分けて行うことができ、かつ様々な横幅を有するハゼ板重合突出部に取り付け可能な取付具を提供することにある。【解決手段】  それぞれ上辺部２、６と中辺部３、７と下辺部４、８とからなる第１コの字状部材１と第２コの字状部材５とを有する取付具Ｔにおいて、第１コの字状部材１の上辺部２に第１締結具９を保持するための雌ねじ孔１２を形成し、第２コの字状部材５の上辺部６に第１締結具９を挿通するための長孔１４を形成すると共に、第１コの字状部材１の上辺部２と第２コの字状部材５の上辺部６とを対向させた上で第１コの字状部材１の上辺部２の下に第２コの字状部材５の上辺部６を重合させた状態において、長孔１４に雌ねじ孔１２を重合するようにして第２コの字状部材５を対向方向にスライド自在である構成とする。【選択図】  図１
0003123885.tif 000002
【実用新案登録請求の範囲】
【請求項１】
それぞれ上辺部と中辺部と下辺部とからなる第１コの字状部材と第２コの字状部材とを有する取付具において、該第１コの字状部材の上辺部に第１締結具を保持するための雌ねじ孔を形成し、該第２コの字状部材の上辺部に該第１締結具を挿通するための長孔を形成すると共に、該第１コの字状部材の上辺部と該第２コの字状部材の上辺部とを対向させた上で該第１コの字状部材の上辺部の下に該第２コの字状部材の上辺部を重合させた状態において、該長孔と該雌ねじ孔とが重合するようにして該第２コの字状部材を対向方向にスライド自在である構成としたことを特徴とする取付具。
【請求項２】
上記長孔を上記第２コの字状部材の上辺部の遊端部から切り欠いて形成した切り欠き部としたことを特徴とする請求項１記載の取付具。
【請求項３】
上記第１締結具をボルトとし、該ボルト軸部の先端に該ボルトを回転させるための器具と係合する係合部を形成したことを特徴とする請求項１又は２記載の取付具。
【請求項４】
上記第１コの字状部材の中辺部及び上記第２コの字状部材の中辺部に、第２締結具を挿通するための挿通孔を同一軸線上にそれぞれ形成したことを特徴とする請求項１〜３記載の取付具。
【請求項５】
上記第１コの字状部材の下辺部の長さと上記第２コの字状部材の下辺部の長さとの合計を、上記第１コの字状部材の上辺部の長さと上記第２コの字状部材の上辺部の長さとの合計よりも短く設定したことを特徴とする請求項１〜４記載の取付具。
【請求項６】
上記第１コの字状部材の中辺部の長さと上記第２コの字状部材の中辺部の長さを異ならせて上記第１コの字状部材の下辺部の底面と上記第２コの字状部材の下辺部の底面との間に垂直方向の段差を形成したことを特徴とする請求項１〜５記載の取付具。
【考案の詳細な説明】
【技術分野】
【０００１】
本考案は、折板ハゼ屋根のハゼ板重合突出部に取付具を装着する場合において、容易かつ様々なハゼ板重合突出部に取り付け可能な取付具に関する。
【背景技術】
【０００２】
折板ハゼ屋根上に屋根上構造物を載置する際に用いられる取付具であって、屋根上構造物を支持するためにハゼ板重合突出部に取り付けられる取付具は、従来から様々な取付具が提案されている。この取付具を２つに大別すると、第１には水平方向に対向する２つのコの字状の部材を設け、その２つのコの字状の部材を垂直方向若しくは垂直方向と水平方向とから締結具により緊締することにより、ハゼ板重合突出部に挟着するものである。第２には下向きコの字状の部材を設け、対向する挟持部同士を締結具により緊締することにより、ハゼ板重合突出部に取り付けるものである。
【０００３】
第１のタイプの取付具としては、図６及び図７に示すように、上辺部５１、５５が重合し、かつ下辺部５３、５７が対向する２個のコの字状の挟持板５０、５４からなる取付具Ｔｃ１がある（特許文献１参照）。
【０００４】
かかる取付具Ｔｃ１をハゼ板重合突出部６２に取り付ける際には、片方のボルト付挟持板５４のボルト部５８に、他方の挟持板５０の貫通孔５９及び屋根上構造物６１を嵌着した上でナット６０を螺合、緊締することにより、双方の下辺に設けられた下辺部５３、５７によりハゼ板重合突出部６２を挟持する。
【０００５】
第２のタイプの取付具としては、図８及び図９に示すように、左右の挟持部６７、６８が一体形成された下向きコの字形状の挟持板６５と、屋根上構造物７４及び７５とを係合するため挟持板６５に一体形成されたボルト部６９と、挟持板６５の対向する挟持部６７及び６８とを緊締するためのボルト７０と、ナット７２とからなる取付具Ｔｃ２がある（特許文献２参照）。
【０００６】
かかる取付具Ｔｃ２をハゼ板重合突出部７３に取り付ける際には、挟持部６７及び６８をハゼ板重合突出部７３に嵌合し、ボルト７０及びナット７２により挟持部６７及び６８を緊締する。その後、ボルト部６９と屋根上構造物７４及び７５に設けられた貫通孔（図示せず）とを嵌合しナット７１により緊締する。
【特許文献１】実公平４−１１０６４公報
【特許文献２】特開２０００−１２０２３５公報
【考案の開示】
【考案が解決しようとする課題】
【０００７】
しかし特許文献１の取付具Ｔｃ１では取付具Ｔｃ１がハゼ板重合突出部６２を挟持するための締結構造と、屋根上構造物６１と取付具Ｔｃ１とを締結する締結構造とが一体化した構造であるため、取付具Ｔｃ１のハゼ板重合突出部６２への取り付けを終えた後に屋根上構造物６１を取付具Ｔｃ１へ取り付けることはできず、屋根上構造物６１の取付具Ｔｃ１への取り付けを取付具Ｔｃ１のハゼ板重合突出部６２への取り付けと同時に行わなければならない。そのため屋上構造物６１が大型の物や長尺物である場合は、複数人で同時に作業を行わなければならないなど、特に作業が煩雑になる。
【０００８】
また、特許文献２の取付具Ｔｃ２では取付具Ｔｃ２がハゼ板重合突出部７３を挟持する締結構造と、屋根上構造物７４、７５と取付具Ｔｃ２とを締結する締結構造とが一体化していないため、取付具Ｔｃ２をハゼ板重合突出部７３へ取り付ける作業と、屋根上構造物７４、７５を取付具Ｔｃ２へ取り付ける作業とを別に分けて行うことができるが、上辺部６６の横幅を変化させることができないため、ハゼ板重合突出部７３の形状が少し変化するだけで取付具Ｔｃ２とハゼ板重合突出部７３との間に大きな隙間７６が生じ把持力が低下する。そのため、個々のハゼ板重合突出部の横幅に対応した取付具を用意する必要がある。
【０００９】
そこで本考案の目的は、ハゼ板重合突出部への取付具の取り付けと、屋根上構造物の取付具への取り付けを別に分けて行うことができ、かつ様々な横幅を有するハゼ板重合突出部に取り付け可能な取付具を提供することにある。
【課題を解決するための手段】
【００１０】
上記課題を解決するための本考案にかかる取付具は、それぞれ上辺部と中辺部と下辺部とからなる第１コの字状部材と第２コの字状部材とを有する取付具において、第１コの字状部材の上辺部に第１締結具を保持するための雌ねじ孔を形成し、第２コの字状部材の上辺部に第１締結具を挿通するための長孔を形成すると共に、第１コの字状部材の上辺部と第２コの字状部材の上辺部とを対向させた上で第１コの字状部材の上辺部の下に第２コの字状部材の上辺部を重合させた状態において、長孔と雌ねじ孔とが重合するようにして第２コの字状部材を対向方向にスライド自在に構成してなる。
【００１１】
かかる構成によれば、第１締結具が第１コの字状部材の雌ねじ孔にナットを用いることなく保持されるため、第１コの字状部材の雌ねじ孔に螺合させた第１締結具と第１コの字状部材の上辺部とにより、第２コの字状部材の上辺部を締結、保持することができる。また同時に、第２コの字状部材をスライドさせることにより、第1コの字状部材と第２コの字状部材との間隔を任意に設定することができる。
【００１２】
また上記長孔を第２コの字状部材の上辺部の遊端部から切り欠いて形成した切り欠き部としてもよい。そうすれば第１締結具が第１コの字状部材に螺合した状態においても、水平横方向から第２コの字状部材を第１締結具と第１コの字状部材との間に嵌合することができ、同時に第２コの字状部材がより広い幅にわたってスライド自在になるので好ましい。
【００１３】
さらに、上記第１締結具をボルトとし、ボルト軸部の先端にボルトを回転させるための器具と係合する係合部を形成したボルトを用いてもよい。そうすれば折板ハゼ屋根に取付具を取り付ける際には、作業空間の狭い第２コの字状部材の下方にあるボルトの頭部を回転させ緊締するのではなく、作業空間が広い取付具の上方からドライバーといったボルトを回転させるための器具を用いてボルトを回転させ締結作業を行うことができるため作業が容易となり好ましい。
【００１４】
またさらに、上記第１コの字状部材の中辺部及び上記第２コの字状部材の中辺部に、第２締結具を挿通するための挿通孔を同一軸線上にそれぞれ形成してもよい。そうすれば両挿通孔に挿通したボルトとナットとにより第１コの字状部材と第２コの字状部材とを締結することにより、折板ハゼ屋根に取付具を取り付ける際にはハゼ板重合突出部に一層強固に取付具の取り付けを行うことができるので好ましい。
【００１５】
そして、上記第１コの字状部材の下辺部の長さと上記第２コの字状部材の下辺部の長さとの合計を、上記第１コの字状部材の上辺部の長さと上記第２コの字状部材の上辺部の長さとの合計よりも短く設定することが好ましい。そうすれば、第２コの字状部材と第１コの字状部材との間隔を広げた状態においては、第１コの字状部材の下辺部と第２コの字状部材の下辺部との間に間隙が設けることができるので好ましい。
【００１６】
そして、上記第１コの字状部材の中辺部の長さと上記第２コの字状部材の中辺部の長さを異ならせて上記第１コの字状部材の下辺部の底面と上記第２コの字状部材の下辺部の底面との間に垂直方向の段差を形成してもよい。そうすれば折板ハゼ屋根に取付具を取り付ける際に、その折板ハゼ屋根のハゼ板重合突出部を介した左右の天板部の高さが異なる場合においては、いずれか一方のコの字状部材の下辺部と折板ハゼ屋根の天板部との間に生じた隙間の方向に取付具が転倒し、取り付け位置がずれることを防止することに寄与する。
【考案の効果】
【００１７】
本考案によれば、第１コの字状部材の雌ねじ孔に螺合させた第１締結具と第１コの字状部材の上辺部とにより、第２コの字状部材の上辺部を締結、保持することができるため、屋根上構造物を折板ハゼ屋根に載置する際には、折板ハゼ屋根のハゼ板重合突出部に取付具を取り付けてから、屋根上構造物を取付具に取り付けることができる。従って、特に長尺物や大型の構造物と取付具との締結作業が容易となる。
【００１８】
また第１コの字状部材と第２コの字状部材の間隔を任意に設定可能であることから、様々な横幅を有するハゼ板重合突出部に取り付けが可能であるため、ハゼ板重合突出部にそのハゼ板重合突出部の横幅に対応していない取付具を取り付けた場合に生じ得る取付具の把持力の低下の防止に寄与する。また、様々な横幅を有するハゼ板重合突出部に応じて複数の取付具を用意する必要がない。
【考案を実施するための最良の形態】
【００１９】
以下、本願考案の実施形態を、添付図面を参照して説明する。
［第１実施形態］
図１は本願考案の取付具Ｔの第１実施形態を示しており、（ａ）はその斜視図、（ｂ）はその分解斜視図である。
【００２０】
図２（ａ）は取付具Ｔの縦断面図、（ｂ）はその上面図、（ｃ）（ｄ）は取付具の一部を抜き出して拡大した断面図である。
【００２１】
図３は第２コの字状部材５の可動状態を表す図である。
【００２２】
図１（ａ）〜（ｂ）に示すように、取付具Ｔは、第１コの字状部材１、第２コの字状部材５及びこれら第１コの字状部材１と第２コの字状部材５とを垂直方向に締結する第１ボルト９と水平方向に締結する第２ボルト１０とから主に構成されている。
【００２３】
第１コの字状部材１は、縦置きした矩形平板状の部材の上部と下部を同一方向に９０度折曲した略コの字状のような外形状をしており、中辺部３の一端に上辺部２が、中辺部３の他端に下辺部４が、中辺部３に対して同一方向に９０度折曲された状態で連設されている。従って上辺部２と下辺部４は平行である。下辺部４の水平方向の寸法は上辺部２の水平方向の寸法の略２分の１の長さに設けられている。
【００２４】
図２（ｃ）に示すように、第１コの字状部材１の上辺部２には、後述する第１ボルト９が螺合し、第１ボルト９を保持する、雌ねじ孔１２が設けられている。この雌ねじ孔１２は第１コの字状部材１の上辺部２の略中心部に設けられている。なおこの雌ねじ孔１２の位置は第１コの字状部材１の上辺部２の略中心部に限られず、第１コの字状部材１の上辺部２の遊端部２ａ側や、上辺部２と中辺部３の連設部２ｂ側、上辺部２の側縁部２ｃ側に設けても構わない。また雌ねじ孔１２は１つに限られず複数設けても構わない。
【００２５】
また図２（ｄ）に示すように、第１コの字状部材１の中辺部３には、後述する第２ボルト１０が螺合する、雌ねじ孔１３が設けられている。この雌ねじ孔１３は第１コの字状部材１の中辺部３の略中心部に設けられている。なおこの雌ねじ孔１３の位置は第２コの字状部材５の略中心部に限られず、第１コの字状部材１の中辺部３と上辺部２との連設部２ｂ側や、中辺部３と下辺部４との連設部４ｂ側、中辺部３の側縁部３ｃ側に設けても構わない。また雌ねじ孔１３は１つに限られず複数設けても構わない。さらに雌ねじ孔に限られず挿通孔であってもよい。
【００２６】
なお、第１コの字状部材１及び第２コの字状部材５はステンレスのような剛性が大きく強度も大きい材料であれば他の金属製でもよく、また同等の剛性、強度が得られればプラスチック製であってもよい。
【００２７】
第２コの字状部材５も第１コの字状部材１と同様に中辺部７の一端に上辺部６が、中辺部７の他端に下辺部８が、中辺部３に対して同一方向に９０度折曲された状態で連設されている。第１コの字状部材１と第２コの字状部材５との差異は、第１コの字状部材１の中辺部３には第２ボルト１０が螺合する雌ねじ孔１３が形成されているのに対し、第２コの字状部材５の中辺部７には第２ボルト１０が挿通するための挿通孔１５が形成されている点であり、また第１コの字状部材１の上辺部２には第１ボルト９が螺合する雌ねじ孔１２が形成されているのに対し、第２コの字状部材５の上辺部６には第１ボルト９が挿通されるU字状切り欠き部１４（長孔）が形成されている点である。
【００２８】
なお、それぞれのコの字状部材の下辺部４、８の水平方向の寸法はそれぞれ対応するコの字状部材の上辺部２、６の水平方向の寸法の略２分の１の長さに限られず、第１コの字状部材１の下辺部４の長さと第２コの字状部材５の下辺部８の長さとの合計が、第１コの字状部材１の上辺部２の長さと第２コの字状部材５の上辺部６の長さとの合計よりも短くなるように設けられてもよい。
【００２９】
挿通孔１５の径は、後述する組み立て状態において第２コの字状部材５が対向方向に自在に動かせるように、第２ボルト１０の外径よりも大きく形成されている。また図２（ａ）に示すように、後述する組み立て状態において第１コの字状部材１の雌ねじ孔１３の軸線と第２コの字状部材５の挿通孔１５の軸線とが略同一軸線上に位置するように、挿通孔１５は第２コの字状部材５の中辺部７に設けられている。そのため、第２コの字状部材５の上辺部６の厚みが存在すること、さらには後述するように第１コの字状部材１の下辺部４の底面と第２コの字状部材５の下辺部８の底面との間には垂直方向に段差Ｈが設けられていることから、第１コの字状部材１の雌ねじ孔１３は第１コの字状部材１の中辺部３の略中心に設けられているのに対し、第２コの字状部５の挿通孔１５は第２コの字状部材５の中辺部７の中心より上辺部６側に設けられている。また第２コの字状部材５の挿通孔１５の位置は、例えば第２コの字状部材５の中辺部７と上辺部６との連設部６ｂ側や、中辺部７と下辺部８との連設部８ｂ側、中辺部の側縁部７ｃ側に設けても構わない。なお挿通孔１５は１つに限られず複数設けても構わない。
【００３０】
U字状切り欠き部１４は、上辺部６の遊端部６ａから上辺部６の遊端部６ａと略直交する方向に長軸を有する長円形に切り欠かれている。後述する組み立て状態においては、Ｕ字状切り欠き部１４の水平対向方向の中心線Ｃが雌ねじ孔１２の軸線と直交し、かつＵ字状の切り欠き部１４の円弧部１４ａの中心点が第１コの字状部材１の雌ねじ孔１２の軸線上に位置するようにＵ字状切り欠き部１４は設けられている。このU字状切り欠き部１４は、後述する第１ボルト９が挿通されるための孔であり、後述する組み立て状態において第２コの字状部材５が対向方向に自在に動かせるように、U字状切り欠き部１４の円弧部１４ａの径は第１ボルト９の外径よりも大きく設けられている。なおこのU字状切り欠き部１４の円弧部１４ａの中心点の位置は、第１コの字状部材１の雌ねじ部１２の軸心上に限られず、より上辺部２と中辺部３の連設部２ｂ側に円弧部１４ａの中心点が位置するようにＵ字状切り欠き部１４を設けても構わない。またこの実施形態では長円挿通部を図１（ｂ）に示すように、切り欠き部１４としたがこれに代えて長円孔や矩形の長孔としても構わない。さらにＵ字状切り欠き部１４は１つに限られず複数設けても構わない。
【００３１】
図２（ａ）に示すように、後述する組み立て状態において第１コの字状部材１の下辺部４の底面と第２コの字状部材５の下辺部８の底面との間には垂直方向の段差Ｈが設けられるように、第１コの字状部材１の中辺部３の長さと第２コの字状部材５の中辺部７の長さとを異ならせて、第１コの字状部材１と第２コの字状部材５とが形成されている。
【００３２】
第１ボルト９（第１締結具）のボルト軸部９ｄの先端部には十字溝状の係合部９ａが設けられており、基端部には六角形状のボルト頭部９ｂと、ボルト軸部９ｄとボルト頭部９ｂの間に挟まれる形でワッシャー部９ｃが設けられている。このワッシャー部９ｃは、締め付けにより生じる面圧を受け止め分散し、第２コの字状部材の上辺部６の変形を防ぐためのものである。また後述する屋根上構造部材と取付具Ｔとを係合、締結するために、第１ボルト軸部の９ｄの長さは第１コの字状部材１の上辺部２及び第２コの字状部材５の上辺部６の厚さと、ワッシャー１８及びナット１９の厚さと、後述する屋根上構造部材の貫通孔の深さとの合計以上の長さとしてもよい。なおボルト軸部９ｄの係合部９ａの形状は十字溝に限られず、直線状や六角形・四角形・三角形等の多角形や楕円状の凹形状若しくは凸形状であってもよい。
【００３３】
第２ボルト１０（第２締結具）はボルト頭部１０ａとボルト軸部１０ｂからなる。
【００３４】
これらの部材を組み立てる手順、つまり図１（ｂ）に示した各部材を図１（ａ）で示した状態に組み立てる手順は以下の通りである。まず第１コの字状部材１の上辺部２と第２コの字状部材５の上辺部６とを対向させて設けた上で、第１コの字状部材１の上辺部２の下に第２コの字状部材５の上辺部６が位置するように重合させると共に、雌ねじ孔１２とＵ字状切り欠き部１４とを重合させる。その上で、ボルト頭部９ｂを下にした第１ボルト９を第２コの字状部材５の上辺部６側から切り欠き部１４に挿通すると同時に、雌ねじ部１２に螺合させ、雌ねじ部１２に第１ボルト９を保持させる。従って、第１コの字状部材１の雌ねじ孔１２に螺合させた第１ボルト９と第１コの字状部材１の上辺部２とにより、第２コの字状部材５の上辺部６を締結することができる。次に第２ボルト１０にワッシャー１６を嵌着させた上で、この第２ボルト１０を第１コの字状部材１の中辺部３側から雌ねじ部１３に螺合、締結する。その際上述したように挿通孔１５は第２ボルト１０及び雌ねじ部１２と同一軸線上に設けられているため、同時に挿通孔１５にも挿通されることとなる。そして第２コの字状部材５の中辺部７側から第２ボルト１０にワッシャー１７を嵌着させた後、ナット１１を第２コの字状部材５の中辺部７側から螺合し、第１コの字状部材１と第２コの字状部材５とを係合させる。なおワッシャー１８及びナット１９は屋根上構造部材を第１ボルト９に嵌着させた後に嵌着、螺合させる。
【００３５】
上記構成により図３に示すように、第１ボルト９と第１コの字状部材１の雌ねじ孔１２及び第２ボルト１０とナット１１とが緊締されていない状態においては、第２コの字状部材５はＵ字状切り欠き部１４に雌ねじ孔１２を重合させながら、対向方向に自在にスライドさせることができる。つまり第１コの字状部材１の上辺部２と中辺部３との連設部２ｂと第２コの字状部材５の上辺部６の遊端部６ａとが当接する状態における第２コの字状部材５の位置と、第２コの字状部材５の中辺部７の外側面と第２ボルト１０に螺着したナット１１及びワッシャー１７とが当接する状態における第２コの字状部材５の位置との間を、第２コの字状部材５は対向方向に自在にスライドする。従って第１コの字状部材１の下辺部４の遊端部４ａと第２コの字状部材２の下辺部８の遊端部８ａとの間隔も間隔δ１から間隔δ２までの間で自在に変化させることができる。
【００３６】
また取り付け作業を行う際には、第２ボルト１０と第２コの字状部材５の上辺部６との間にあることから保持しにくい第１ボルト９のボルト頭部９ｂをレンチ等で保持するのではなく、作業空間が広いため作業のしやすい上方向から振動ドライバー等のドライバーと係合部９ａとを係合させ締結を行うことにより、第１コの字状部材１と第２コの字状部材５の垂直方向への締結を行うことができる（図４ｃ参照）。
【００３７】
さらに、あらかじめ雌ねじ部１３に第２ボルト１０を第１コの字状部材１の中辺部３とワッシャー１６及び第２ボルト１０のボルト頭部１０ａが当接する位置まで螺合、緊締させておくことにより、取り付け作業を行う際には第２ボルト１０の頭部１０ａを保持することなく、ナット１１を第２ボルト１０へ螺合させることにより、第１コの字状部材１と第２コの字状部材５との対向方向への締結作業を行うことができる。
【００３８】
また上述した落差Ｈを設けるために第１コの字状部材１の中辺部３の長さと第２コの字状部材５の中辺部７の長さとを異ならせて形成するのではなく、第１コの字状部材１の上辺部２と第２コの字状部材５の上辺部６との間に、第１ボルト９が挿通するための貫通孔を設けた平板状部材を挟み込ませてもよい。
【００３９】
またＵ字状切り欠き部を設けていることにより、第１ボルト９が第１コの字状部材１に螺合した状態においても、水平横方向から第２コの字状部材５を第１ボルト９と第１コの字状部材１との間に嵌合することができ、同時に第２コの字状部材５が広い幅にわたってスライド自在となっている。
【００４０】
ここで、図４Ａ〜４Ｆに基づいて上述した本願取付具Ｔの使用態様の一例を説明する。この使用の例示は、例えば工場や倉庫の屋根に用いられる折板ハゼ屋根のうちいわゆる丸ハゼと呼ばれるハゼ板重合突出部３０を有する折板ハゼ屋根に本願取付具Ｔを取り付ける場合を示している。
【００４１】
この折板ハゼ屋根は略波板形状をしており（図４Ｆ参照）、波板の凸部の中央部に設けられたハゼ板重合突出部３０から隣接するハゼ板重合突出部３０までを１ユニットの折板とするものである。この折板はハゼ板重合突出部３０において隣接する折板と重合し、折板ハゼ屋根の凸部を形成する。この凸部及びハゼ板重合突出部３０の拡大図は図４Ａに示すとおり、折板３１と折板３２がハゼ板重合突出部３０において略円形状の重合部を形成している。またハゼ板重合突出部３０の下方には、折板３１が垂直に立ち上がった立ち上がり部３１ａ、及び折板３２が垂直に立ち上がった立ち上がり部３２ｂが形成されている。また折板３１の天板部３１ｂと折板３２の天板部３２ｂとの水平方向の高さが異なって形成されているために段差ｈが形成されている。
【００４２】
図４Ａ：図１（ａ）におけるワッシャー１８及びナット１９以外は組み立てられた状態である取付具Ｔのナット１１を第２ボルト１０のボルト軸部１０ｂの先端部近くまで緩めると共に、第１ボルト９を若干緩め、第２コの字状部材５を水平方向に最大開放位置に保持し、ハゼ板重合突出部３０の上方から取付具Ｔを被せていく。
【００４３】
この際、第１コの字状部材１の下辺部４と第２コの字状部材５の下辺部８の水平方向の寸法、ハゼ板重合突出部３０の水平方向の最大寸法δａ、及びナット１１とワッシャー１７の厚さを加えた長さよりも長いボルト軸部１０ｂを有する第２ボルト９を用いることにより、本願取付具Ｔをハゼ板重合突出部３０に取り付ける作業において、始めから取付具Ｔにかかる部品を組み立てた上で取り付け作業が行えるので作業が容易となり、また部品を作業中に無くすおそれがない。
【００４４】
図４Ｂ：次に下辺部４、８がそれぞれ天板部３１ｂ、３２ｂと当接し、かつ第１コの字状部材１の下辺部４の遊端部４ａが折板３２の立ち上がり部３２ａに当接する位置にあてがう。
【００４５】
その上で第２コの字状部材５を対向する第１コの字状部材１の方向へ動かし、第２コの字状部材５の下辺部８の遊端部８ａと折板３１の立ち上がり部３１ａとを当接させる。
【００４６】
第１コの字状部材１の下辺部４の遊端部４ａ及び第２コの字状部材５の下辺部８の遊端部８ａにより両方向からハゼ板重合突出部３０を挟持するために、第１コの字状部材１の下辺部４及び第２コの字状部材５の下辺部８の水平方向の寸法はそれぞれ第１コの字状部材１の上辺部２及び第２コの字状部材５の上辺部８の水平方向の寸法の略２分の１の長さに設けられていることは先述した通りである。
【００４７】
また取付具Ｔには図２（ａ）において先述したように段差Ｈが設けられているため、この取付具の段差Ｈと折板ハゼ屋根の段差ｈとが一致する取付具Ｔを用いることにより、第１コの字状部材１の下辺部４の底面と、第２コの字状部材５の下辺部８の底面とのそれぞれが天板部３２ｂ、天板部３１ｂに接することとなる。つまり、下辺部４と天板部３２ｂ及び下辺部８と天板部３１ｂとのそれぞれの間に隙間が生じない。従って、第１コの字状部材１の下辺部４と第２コの字状部材５の下辺部８の垂直方向の形成位置を、折板ハゼ屋根のハゼ板重合突出部３０を介した左右の天板部３１ｂ、３２ｂの高さの違いに合わせて設けることにより段差Ｈを形成することにより、形成しなかった場合に生じるどちらか一方の下辺部と天板部との間に生じた隙間の方向に取付具が転倒することを防止し、取り付け位置がずれることを防止する。
【００４８】
図４Ｃ：その後、第１ボルト９の先端部に設けられた係合部９ａとドライバー３５とを係合させ、第１ボルト９を回転させることにより垂直上方向に第１ボルト９を上昇させ、この第１ボルト９と第１コの字状部材１の上辺部２とにより第２コの字状部材５の上辺部６を緊締する。
【００４９】
図４Ｄ：そして第２ボルト９及びナット１１により、対向する第１コの字状部材１と第２コの字状部材５とを対向方向に緊締し水平方向への把持力を付勢する。
【００５０】
このようにして、第１ボルト９及び第２ボルト１０及びナット１１を緊締した状態においては垂直方向及び水平方向から第１コの字状部材１と第２コの字状部材５を緊締することにより、第１コの字状部材１の下辺部４と第２コの字状部材５の下辺部８とで強固にハゼ板重合突出部３０を挟持することができる。
【００５１】
図４Ｅ：そして本願取付具Ｔの上に載置する屋根上構造部材であるアングル材３６に設けられた貫通孔３６ａと第１ボルト９とを嵌合させ、その上からワッシャー３７を第１ボルト９に嵌合させ、さらにナット１９により緊締する。このように取付具Ｔをハゼ板重合突出部３０へ取り付けてから、屋根上構造部材と取付具Ｔとの締結を行うことができるため、屋根上構造部材の取付が容易となる。
【００５２】
またアングル材３６と取付具Ｔとを係合、締結するために、第１ボルト軸部９ｄの長さは第１コの字状部材１の上辺部２及び第２コの字状部材５の上辺部６の厚さ、ワッシャー１８及びナット１９の厚さ及びアングル材３６の貫通孔３６ａの深さの合計以上の長さを要することは先述した通りである。
【００５３】
図４Ｆ：図に示すように本願取付具Ｔを複数用いる際には、複数の取付具Ｔを図４ＡからＥにおいて示したようにハゼ板重合突出部３０に取り付けてから、屋根上構造部材であるアングル材３６を取付具Ｔとナット１９により緊締する。このように取付具Ｔをハゼ板重合突出部３０へ取り付けてから、屋根上構造部材と取付具３０との締結作業を行えることから、特に長尺物や大型の屋根上構造部材と取付具とを締結する作業を行う際には非常に作業が容易となる。
［第２実施形態］
図５は本願取付具の第２実施形態を示しており（ａ）は縦断面図（両コの字状部材を両ボルトにより緊締した状態のもので両コの字状部材のみ断面して示す）、（ｂ）は第２実施形態の使用状態の一例を示した断面図（両コの字状部材と折板ハゼ屋根を断面して示す）である。
【００５４】
図５（ａ）に示すように、第２実施形態にかかる取付具Ｔ２も第１実施形態にかかる取付具Ｔと同様に、第１コの字状部材１Ａと、第２コの字状部材５Ａと、第１コの字状部材１Ａと第２コの字状部材５Ａとを垂直方向に締結する第１ボルト９Ａと、第１コの字状部材１Ａと第２コの字状部材５Ａとを水平方向に締結する第２ボルト１０Ａとから主に構成されている。第１実施形態にかかる取付具Ｔと第２実施形態にかかる取付具Ｔ２の差異は、以下の２点である。
【００５５】
まず第１実施形態にかかる取付具Ｔでは図２（ａ）に示すように第１コの字状部材１の下辺部４の底面と第２コの字状部材５の下辺部８の底面との間には、垂直方向に段差Ｈだけ差が設けられる様に、第１コの字状部材１の中辺部３の長さと第２コの字状部材５の中辺部７の長さとを異ならせて形成されているのに対し、取付具Ｔ２では第１コの字状部材１Ａの下辺部４Ａの底面と第２コの字状部材５Ａの下辺部８Ａの底面との間に垂直方向の段差を設けておらず、正面対向して第１コの字状部材１Ａの下辺部４Ａと第２コの字状部材５Ａの下辺部８Ａとが形成されるように、第１コの字状部材１Ａの中辺部３Ａと第２コの字状部材５Ａの中辺部７Ａとが形成されている。
【００５６】
次に第１実施形態にかかる取付具Ｔでは図２（ａ）に示すように第１コの字状部材１と第２コの字状部材５を水平方向に締結している第２ボルト９の垂直方向の取付位置が第１コの字状部材１の中辺部３の略中央であるのに対し、第２実施形態にかかる取付具Ｔ２では第１コの字状部材１Ａの中辺部３Ａの下辺部４Ａ側から略３分の２の高さに設けられている。それに伴い雌ねじ孔１３Ａは第２ボルト１０Ａの軸線と雌ねじ孔１３Ａの軸線とが重複するように中辺部３Ａに、挿通孔１５Ａは第２ボルト１０Ａの軸線と挿通孔１５Ａの軸線とが重複するように中辺部５Ａに設けられている。
【００５７】
図５（ｂ）に示すように、第２実施形態における取付具Ｔ２の使用の例示においてはいわゆる丸ハゼではなく、いわゆる角ハゼといわれる略倒立Ｌ字形状のハゼ板重合突出部４０を有する折板屋根に、本願取付具Ｔ２を取り付ける場合を示している。
【００５８】
第２実施形態にかかる取付具Ｔ２の使用態様も、前述した図４Ａから４Ｆで示した第１実施形態にかかる取付具Ｔの使用態様と同様である。従って、以下に述べる差異点の説明を除き説明は省略する。
【００５９】
この折板ハゼ屋根は第１実施形態にかかる折板ハゼ屋根と同様に略波板形状をしているが、波板の凸部の中央部に設けられたハゼ板重合突出部４０が略倒立Ｌ字形状の重合部を形成している点、及び折板３１Ａの天板部３１Ａｂと折板３２Ａｂの水平方向の高さが同一に形成されているため、図４Ａに示すような段差ｈが設けられていない点において異なっている。従って折板３１Ａが垂直に立ち上がった立ち上がり部３１Ａａ、及び折板３２Ａが垂直に立ち上がった立ち上がり部３２Ａａが隣接している。そのため第１コの字状部材１Ａの下辺部４Ａと第２コの字状部材５Ａの下辺部８Ａとが正面対向した状態で立ち上がり部３１Ａａと３２Ａａとを挟持する。
【００６０】
またハゼ板重合突出部４０の高さは、第１コの字状部材１Ａの中辺部３Ａ及び第２コの字状部材２Ａの中辺部７Ａの垂直方向の高さの略２分の１の高さに設けられているため、上述したように第２ボルト１０Ａ、雌ねじ孔１３Ａ、挿通孔１５Ａは第１実施形態よりも高い位置に設けられている。そのため第１コの字状部材１Ａと第２コの字状部材２Ａとはボルト１０Ａにより第１実施形態にかかる取付具Ｔよりも高い位置で緊締されている。
【産業上の利用可能性】
【００６１】
本考案にかかる取付具は容易に取付具を様々な折板ハゼ屋根のハゼ板重合突出部などに取り付けるのに適しており、屋上緑化設備や太陽電池パネルなどの折板ハゼ屋根上に設置する設備の設置時などに広汎に利用できる。
【図面の簡単な説明】
【００６２】
【図１】本願考案の取付具の第１実施形態を示しており（ａ）はその斜視図、（ｂ）はその分解斜視図である。
【図２】取付具の縦断面図、（ｂ）はその上面図、（ｃ）（ｄ）は取付具の一部を抜き出して拡大した断面図である。
【図３】第２コの字状部材の可動状態を表す図である。
【図４Ａ】本願取付具の使用態様の一例を示した正面図で、ハゼ板重合突出部に取付具を装着する状態図である。
【図４Ｂ】本願取付具の使用態様の一例を示した正面図で、ハゼ板重合突出部に取付具を装着し、第２コの字状部材を対向方向に動かす状態図である。
【図４Ｃ】本願取付具の使用態様の一例を示した正面図で、垂直方向のボルトを緊締し引き上げる状態図である。
【図４Ｄ】本願取付具の使用態様の一例を示した正面図で、水平方向のボルトを緊締する状態図である。
【図４Ｅ】本願取付具の使用態様の一例を示した正面図で、垂直方向のボルトに屋根上構造物を嵌合する状態図である。
【図４Ｆ】本願取付具の使用態様の一例を示した斜視図で、取付具をハゼ板重合突出部に取り付けた後、屋根上構造物を取付具に取り付けた使用状態図である。
【図５】本願取付具の第２実施形態を示した図であり、（ａ）はその縦断面図、（ｂ）はその使用態様の一例を示した正面図である。
【図６】従来例の取付具を示す斜視図である。
【図７】従来例の取付具を示す使用態様図である。
【図８】従来例の取付具を示す斜視図である。
【図９】従来例の取付具を示す使用態様図である。
【符号の説明】
【００６３】
１…第１コの字状部材
２…（第１コの字状部材の）上辺部
３…（第１コの字状部材の）中辺部
４…（第１コの字状部材の）下辺部
５…第２コの字状部材
６…（第２コの字状部材の）上辺部
６…（第２コの字状部材の上辺部の）遊端部
７…（第２コの字状部材の）中辺部
８…（第２コの字状部材の）下辺部
９…第１ボルト（第１締結具）
９ａ…（第１ボルトの）係合部
１０…第２ボルト（第２締結具）
１１…（第２ボルトの）ナット
１２…雌ねじ孔
１３…雌ねじ孔
１４…切り欠き部（長孔）
１５…挿通孔
【図１】
0003123885.tif 000003
【図２】
0003123885.tif 000004
【図３】
0003123885.tif 000005
【図４Ａ】
0003123885.tif 000006
【図４Ｂ】
0003123885.tif 000007
【図４Ｃ】
0003123885.tif 000008
【図４Ｄ】
0003123885.tif 000009
【図４Ｅ】
0003123885.tif 000010
【図４Ｆ】
0003123885.tif 000011
【図５】
0003123885.tif 000012
【図６】
0003123885.tif 000013
【図７】
0003123885.tif 000014
【図８】
0003123885.tif 000015
【図９】
0003123885.tif 000016